(57)【要約】公共サービスメッセージ位置放送システム及び方法は、規定された地理的放送ターゲット領域内に位置されている通信受信装置へメッセージの送信を行う。放送ターゲット領域は、放送エージェントウェブページを使用している放送エージェントにより規定され、放送サービス局は放送メッセージを通信サービスを放送ターゲット領域へ提供する１以上のローカルキャリアへ送信する。そのローカルキャリアは放送メッセージを放送ターゲット領域内のターゲットユーザへ送信する。【選択図】図１
2007524308.tif 000002
【特許請求の範囲】
【請求項１】
放送ターゲット領域と放送メッセージとを規定する放送エージェント入力を受信する放送エージェントウェブページと、
放送メッセージを放送ターゲット領域へ送信するキャリア放送サーバと、
前記放送エージェントウェブページをホストし、前記キャリア放送サーバに結合されており、放送エージェント入力を受信し、放送メッセージをキャリア放送サーバへ送信する放送サービス局とを含んでいる放送メッセージを放送ターゲット領域へ提供する公共サービスメッセージ放送システム。
【請求項２】
ウェブページは放送エージェントに地理的データを提供する請求項１記載のシステム。
【請求項３】
地理的データは地図であり、ターゲットマーケット領域は地図の関数として規定される請求項３記載のシステム。
【請求項４】
放送サービス局は、放送ターゲット領域をキャリア放送サーバに送信する請求項１記載のシステム。
【請求項５】
さらにユーザ受信装置を具備し、前記キャリア放送サーバは、放送メッセージを放送ターゲット領域内に位置されるユーザ受信装置へ送信する請求項１記載のシステム。
【請求項６】
前記ユーザ受信装置は、パーソナルコンピュータ、ワイヤライン電話機、ページャ、移動体電話機、パーソナルデジタルアシスタント装置のうちの１つである請求項５記載のシステム。
【請求項７】
放送サービス局は、放送エージェント認証パラメータの関数として、放送エージェントの権限を検査し、前記放送メッセージの送信は、前記権限の検査に応答する請求項１記載のシステム。
【請求項８】
さらに、放送メッセージおよび放送ターゲット領域を報告するための報告モジュールを具備している請求項１記載のシステム。
【請求項９】
さらに、放送メッセージと放送ターゲット領域とを規定する放送エージェント入力を受信するための第２の放送エージェントインターフェースを具備している請求項１記載のシステム。
【請求項１０】
第１のネットワークに結合されている第１の通信インターフェースと、
第２のネットワークに結合されている第２の通信インターフェースと、
放送ターゲット領域と放送メッセージとを規定する放送エージェント入力を受信するウェブページと、
第１の通信インターフェースによってウェブページをホストし、第２の通信インターフェースによって放送エージェント入力を受信し、放送メッセージをローカル放送システムヘ送信するコンピュータとを具備している放送メッセージを放送ターゲット領域へ提供する公共サービスメッセージ放送サービス局システム。
【請求項１１】
前記ウェブページは放送エージェントに地理的データを提供する請求項１０記載のシステム。
【請求項１２】
前記地理的データは地図であり、ターゲットマーケット領域は地図の関数として規定される請求項１１記載のシステム。
【請求項１３】
前記コンピュータは、第２の通信インターフェースによって、放送ターゲット領域をローカル放送システムヘ送信する請求項１０記載のシステム。
【請求項１４】
前記コンピュータは、放送エージェント認証パラメータの関数として、放送エージェントの権限を検査し、前記ローカル放送システムへの放送メッセージの送信は、前記権限の検査に応答する請求項１０記載のシステム。
【請求項１５】
放送エージェントウェブページを表示するためのディスプレイを含んでいる放送エージェント装置と、
この放送エージェント装置と通信し、放送エージェント装置とウェブページホストとの間に通信インターフェースを設定するウェブページホストとを具備し、
前記放送エージェント装置は、放送ターゲット領域と放送メッセージを規定する放送エージェント入力を受信し、前記放送エージェント装置は、通信インターフェースによって、放送ターゲット領域と放送メッセージをウェブページホストへ送信するように構成されている公共サービスメッセージ放送システムのためのウェブサイトインターフェースシステム。
【請求項１６】
前記ウェブページは放送エージェントに地理的データを提供する請求項１５記載のシステム。
【請求項１７】
前記地理的データは地図であり、ターゲットマーケット領域は地図の関数として規定される請求項１６記載のシステム。
【請求項１８】
前記ウェブページは、不規則な形状の放送ターゲット領域を規定するための形状ツールを含んでいる請求項１７記載のシステム。
【請求項１９】
前記放送エージェント装置は、パーソナルコンピュータ、ワイヤライン電話機、ページャ、移動体電話機、パーソナルデジタルアシスタント装置のうちの１つである請求項１５記載のシステム。
【請求項２０】
放送エージェントウェブページをホストし、
放送ターゲット領域及び放送メッセージを前記放送エージェントウェブページから受信し、
放送メッセージを放送ターゲット領域へ送信するステップを含んでいる、放送ターゲット領域への公共サービス放送メッセージングの放送方法。
【請求項２１】
さらに、ホストされたウェブページを介して、放送エージェント入力を受信するステップを含んでいる請求項２０記載の方法。
【請求項２２】
さらに、放送メッセージを放送ターゲット領域へ送信するキャリア放送サーバへ放送メッセージを送信するステップを含んでいる請求項２０記載の方法。
【請求項２３】
さらに、放送ターゲット領域をキャリア放送サーバへ送信するステップを含んでいる請求項２２記載の方法。
【請求項２４】
放送エージェントウェブページは放送エージェントに地図を提供する請求項２０記載の方法。
【請求項２５】
放送エージェントウェブページは、放送エージェントが不規則な形状を有する放送ターゲット領域を規定することを可能にする請求項２３記載の方法。
【請求項２６】
さらに、放送ターゲット領域内に位置されているユーザ受信装置の関数として、ユーザ受信装置で放送メッセージを受信するステップを含んでいる請求項２０記載の方法。
【請求項２７】
さらに、放送エージェントのウェブページをアクセスする放送エージェントの権限を検査し、放送メッセージを生成するステップを含んでおり、前記検査は放送エージェント認証パラメータの関数である請求項２０記載の方法。
【請求項２８】
認証パラメータは、許可された放送エージェントの放送領域を規定する地理的パラメータである請求項２７記載の方法。
【請求項２９】
放送ターゲット領域に対する放送メッセージの送信は、権限の検査に応答する請求項２７記載の方法。
【請求項３０】
さらに、放送メッセージと放送ターゲット領域とを含む報告を報告システムヘ送信するステップを含んでいる請求項１記載の方法。
【発明の詳細な説明】
【技術分野】
【０００１】
本発明は、緊急メッセージの放送システムに関し、特に位置特定公共サービスメッセージの放送に関する。
【背景技術】
【０００２】
９月１１日の事件により、公衆へメッセージ及び警報の公共サービス放送を提供するため、現在のシステム能力について関心が高まっている。既存の公共サービスの警報システムは時代遅れとなっており、潜在的な緊急事態または危険を知る必要のある公衆に対して限定されたアクセスしか与えられない。さらに、既存のシステムは場所をベースとした通知または放送を行わない。
【０００３】
このように、公衆に影響を与える潜在的な危険事態に関して、公衆へ適時に情報を提供するための改良された方法及びシステムが必要とされている。１つの提案された解決方法は、移動体電話機およびコンバチブル装置を使用して、大衆メッセージングのための加入ベースのショートメッセージサービス（ＳＭＳ）のメッセージ能力の利用である。しかしながら、ＳＭＳシステム及び技術は大きな技術的制限を有し、このようなシステムの経験は、ＳＭＳメッセージの配送の大きな遅延および、混雑のためにネットワークに対する悪影響により、失望させる結果であった。
【０００４】
ショートメッセージサービス（ＳＭＳ）は限定されたベースでのみ、提供されまたは利用されることができる。これはサービスのための技術およびネットワークサポートが限定されているためであり、また、加入ベースでの移動体サービスプロバイダと無線ネットワークプロバイダによってサービスが提供されるためでもある。このように、緊急放送のためのＳＭＳサービス能力の使用は非常に限定されている。
【０００５】
さらに、放送のためのＳＭＳ技術の使用は、莫大なネットワークインフラストラクチャの利用を必要とする。通信システムは、ＳＭＳサービスのために使用されるとき、その音声トラフィックチャンネルだけでなく、その狭帯域のデータチャンネルでも混雑の影響を受ける可能性がある。ＳＭＳメッセージを送信するために、ネットワークコンポーネントが、各個々のＳＭＳサービス受信者に対してＳＭＳメッセージ呼設定を提供するために使用される。単一のＳＭＳメッセージを送信するために、全てのＳＭＳメッセージ呼処理手順は、全ての目的とする受信者に対して、それぞれまたは毎回のメッセージで、一つずつ反復されなければならない。単一のＳＭＳメッセージは、音声呼の設定に必要なメッセージと類似して、シグナリング、プロセッサ容量、利用を必要とする。このように、ＳＭＳメッセージを放送するためのネットワークリソースにおける影響は、数千人の電話機のユーザが同時に音声呼を開始しようとする場合と同じである。通信ネットワークは、このような高レベルの同時の電話機の発信を処理するようには設計または配備されていない。
【０００６】
ＳＭＳメッセージが送信されるとき、ＳＭＳメッセージは通信サービスプロバイダのＳＭＳセンターへ通報される。ＳＭＳセンターは、個々にそれぞれの毎回のリクエストされたＳＭＳメッセージを承認し、通信サービスのホーム位置レジスタ（ＨＬＲ）の問合せによって、ＳＭＳメッセージを転送しようとする。ＨＬＲは、そのＨＬＲの規定されたサービスを行うネットワーク内の移動体装置のユーザを登録し、またはその存在を追跡するデータベースである。ＨＬＲはデータベースに問合せ、目的とするＳＭＳメッセージの受信者が現在、ネットワークに所属されているか否かを決定し、所属されているならば、そのユーザが所属しているネットワークスイッチを決定する。ＨＬＲは通信シグナリングネットワークを使用して問合せられる。
【０００７】
目的とするユーザが通信サービスプロバイダのネットワークのスイッチに位置されているか所属されているならば、特定のネットワークスイッチはＳＭＳメッセージ呼を設定するために、通信シグナリングネットワークによって通報される。移動体キャリアのそのサービスを行うネットワークスイッチは、目的とするユーザの移動体装置が最後に動作していたことで知られる位置領域のそれぞれのセルへ、問合せまたはメッセージの試行を開始する。目的とする受信者が特定のセル領域に位置されているならば、移動体装置はページングされる。このようにして潜在的に数千のセルが、目的とする移動体装置の存在を決定するために問合される。各問合せられたセルは、ページングを試行される各移動体装置に対してページングおよび呼容量リソースを必要とする。場合によって、移動体装置が応答しないならば、全体的な移動体サービスキャリア（ＭＳＣ）領域がページングされ、これは多くの例では数千のセルのページングを必要とする。
【０００８】
現在移動体装置にサービスを行っているセルのトランシーバへアクセスバーストを送信することにより、移動体装置が応答するとき、セルサイトは移動体装置でＳＭＳ呼の設定を行うために独立の専用の制御チャンネル（ＳＤＣＣＨ）を割当てる。次に、移動体装置が前もってチャンネルの暗号化を付勢していたと仮定すると、暗号キーがホーム位置レジスタ（ＨＬＲ）／認証センタ（ＡＵＣ）によって移動体装置へ送信される。暗号キーが適切に受信され、承認されると、ＳＭＳメッセージは制御チャンネルによって移動体装置へ送信される。ＳＭＳメッセージの送信は単位ＳＭＳメッセージ当り約５秒間の制御チャンネル時間を利用する。
【０００９】
しかしながら、意図している受信者がＨＬＲのホームサービス領域に位置されていないならば、シグナリングメッセージがサービスしている移動体ネットワークのビジタ位置レジスタ（ＶＬＲ）へ送信される。このＶＬＲは、ホーム位置の外部にいる移動体装置のユーザを登録し、追跡する。この場合、ＶＬＲはユーザが現在遠隔スイッチに所属されていることを確認するためにシグナリングネットワークを介して問い合わせをされる。
【００１０】
各ＳＭＳメッセージは、各メッセージが発生され、ＳＭＳセンターを介して特定の通信ユーザまたは装置へ送信される点で、有線放送メッセージである。ＳＭＳメッセージは前述したように、地理的領域または位置に関係なく、目的とする受信者がどこに位置されていても、ケパブルネットワークによって、意図している受信者へ転送される。
【００１１】
このようにして、緊急をベースのメッセージの転送のためのＳＭＳメッセージの配信は、ＳＭＳメッセージが生成され、緊急事態が存在する特定の地理領域に特定のユーザの電話機が位置されなくても、各移動体装置へ送信される。ＳＭＳサービスは位置特定メッセージの送信をする能力がない。
【００１２】
さらに、ＳＭＳメッセージ配信は、前述のプロセスが、同時に数千または数万のＳＭＳ呼設定リクエストの要求により増加されることを考慮すると、通信システムおよびインフラストラクチャにおいて可成の呼処理ロードを必要とする。放送ＳＭＳ量の潜在的な開始は、ＳＭＳメッセージ配信のネットワークリソースに影響するだけでなく、これらのリソースが両サービスにより共有されるとき、メッセージ放送の任意の期間中に音声トラフィックを設定及びサポートするための通信ネットワークの能力に悪影響を与える。
【００１３】
メッセージ放送に対する既存の解決策のさらに別の制限の例は、良好に配備された移動体通信の国際標準（ＧＳＭ）システムが典型的に、単一のＧＳＭセルの中に幾つかのトランシーバで配備された構成である。典型的なＧＳＭセル構造は、６乃至１２個のトランシーバを含んでいる。このような各トランシーバは８つのタイムスロットを含んでいる。各タイムスロットは単一の電話機呼をサポートする。
【００１４】
このような構造では、トランシーバの１つがＳＭＳキャリアとして選択される。ＳＭＳキャリアトランシーバは異なる構成をされ、ＳＭＳメッセージの放送及びページング専用の１つのタイムスロットと、スタンドアロン専用制御チャンネル（ＳＤＣＣＨ）と呼ばれる８制御チャンネルから利用される別の１つのタイムスロットとを有している。ＳＤＣＣＨは制御及び呼設定機能を実行し、トラフィックチャンネルにより通常処理されないＳＭＳトラフィックを、他のタイムスロットで伝送する。
【発明の開示】
【発明が解決しようとする課題】
【００１５】
しかしながら、従来技術のシステムでは、ＳＭＳ及び無線アクセスプロトコル（ＷＡＰ）メッセージングは、これらのチャンネルにおける容量を使用し、これらを呼設定のような他の目的に対しては利用不可能にする。さらに、各ＳＤＣＣＨチャンネルは限定された数のＳＭＳおよび／またはページング呼しか処理できない。このように、負担の多いメッセージングの期間中、関連される高い容量のメッセージングトラフィックは、音声呼の設定を含む他のサービスに悪影響を与える可能性がある。
【００１６】
これら及びその他のＳＭＳメッセージングの制限を補償するために、ダイナミックなチャンネル割当てが開発された。ダイナミックチャンネル割当てはピークのＳＭＳまたはページング負荷の期間に、別の８つの制御チャンネルに変換される付加的なトラフィックチャンネルを使用する。しかしながら、これは音声通信のトラフィックチャンネルの損失を生じる。
【００１７】
更に別の方法はトラフィックチャンネルへの中間割当てを含んでいる。このシステムでは、音声呼が試みられるとき、その音声呼は直接トラフィックチャンネルへ送信され、ここでシグナリングがトラフィックチャンネルで行われる。しかしながら、これはその他の場合よりも長い時間、トラフィックチャンネルを占有する。この特徴を使用できるトラフィックチャンネルの数には制限がある。ほとんどの場合、１つのトラフィックチャンネルだけが変換され、それによって８つの新しいＳＤＣＣＨチャンネルについてのみ解決策が限定される。制御チャンネルによる呼の故障の影響は、セルのトラフィック容量に依存している。高い密度のセルでは、大量のＳＭＳメッセージングトラフィックが提供されるとき、各セルがその中で１００を超えるトラフィックチャンネルを有することにより、混雑が生じる。
【００１８】
動作において、通信サービスプロバイダは、管理可能で、混雑の問題を生じないように、ＳＭＳメッセージングの速度を調速することによって、この制限を解決する。しかしながらこのようなメッセージ負荷の管理は、これらのネットワークのユーザへ緊急メッセージを放送するためのＳＭＳメッセージ放送を使用する機会に対して悪影響する。緊急事態のタイミング転送が重要であっても、調速はしばしばＳＭＳメッセージの転送を著しく遅延させる。さらに、メッセージの転送が失敗すると、ＳＭＳセンターは反復して、メッセージを転送しようとし、それによって、さらに混雑と、メッセージの残量を増加させる。
【００１９】
さらに、説明したように、ＳＭＳメッセージングは位置ベースではなく、規定された地理的位置内に位置されている意図している受信者へメッセージを送信しない。多くの通信ユーザは、それらの位置と無関係にメッセージを送信されるので、多くの発生されたＳＭＳメッセージは意図されている領域にいないユーザへ送信される。
【００２０】
別の方法では、幾つかの次世代の電話機システムは、例えばＧＭＳ、ＣＤＭＡ、ＵＭＴＳのような基本的なセルベースの放送能力を含んでいる。このようなシステムでは、セルの放送能力は、各セルの各タイムスロット帯域幅容量の一部を、保留された放送タイムスロットとして割当てる。多くの新しい装置に含まれているセル放送能力が配備されているが、一方で、効率的に技術を使用するセル放送システム及びサービスは開発されていない。
【課題を解決するための手段】
【００２１】
本発明の実施形態は従来技術よりも優れた１以上の改良を提供する。
【００２２】
１特徴では、本発明は放送メッセージを放送ターゲット領域へ提供する公共サービスメッセージ放送システムを含んでいる。このシステムは、放送ターゲット領域と放送メッセージとを規定する放送エージェント入力を受信する放送エージェントウェブページを含んでいる。このシステムはまた、放送メッセージを放送ターゲット領域へ送信するキャリア放送サーバを含んでいる。このシステムはさらに、放送エージェントウェブページをホストし、キャリア放送サーバに結合されている放送サービス局を含んでいる。放送サービス局は、放送エージェント入力を受信し、放送メッセージをキャリア放送サーバへ送信する。
【００２３】
別の特徴では、本発明は放送メッセージを放送ターゲット領域へ提供する公共サービスメッセージ放送サービス局システムを含んでいる。このシステムは、第１のネットワークに結合されている第１の通信インターフェースと、第２のネットワークに結合されている第２の通信インターフェースとを含んでいる。このシステムはまた、放送ターゲット領域と放送メッセージとを規定する放送エージェント入力を受信するウェブページも含んでいる。このシステムはまた、第１の通信インターフェースによってウェブページをホストするコンピュータを含んでいる。コンピュータはまた、第２の通信インターフェースによって放送エージェント入力を受信し、放送メッセージをローカル放送システムヘ送信する。
【００２４】
さらに別の特徴では、本発明は、公共サービスメッセージ放送システムのためのウェブサイトインターフェースシステムを含んでいる。ウェブサイトインターフェースは、放送エージェントウェブページを表示するためのディスプレイを有する放送エージェント装置を含んでいる。ウェブサイトインターフェースはまた、放送エージェント装置と通信するウェブページホストを含み、放送エージェント装置とウェブページホストとの間に通信インターフェースを設定する。放送エージェント装置は、放送ターゲット領域と放送メッセージを規定する放送エージェント入力を受信する。放送エージェント装置はまた、通信インターフェースによって、放送ターゲット領域と放送メッセージをウェブページホストへ送信する。
【００２５】
別の特徴では、本発明は、放送ターゲット領域への公共サービス放送メッセージ配送方法を含んでいる。この方法は、放送エージェントウェブページをホストし、放送ターゲット領域及び放送メッセージを放送エージェントウェブページから受信するステップを含んでいる。この方法はさらに、放送メッセージを放送ターゲット領域へ送信するステップを含んでいる。
【００２６】
本発明のさらに別の特徴は、以下行う詳細な説明から明白になるであろう。本発明の好ましい実施形態を示しているが、詳細な説明および特別な例は単なる例示目的を意図しており、本発明の技術的範囲を限定することを意図してはいないことを理解すべきである。
【発明を実施するための最良の形態】
【００２７】
本発明は詳細な説明と、添付図面からさらに十分に理解されるであろう。  
対応する参照符号は、幾つかの図面を通して対応する部分を示している。
【００２８】
以下の説明は、本質的に単なる例示であり、本発明、その応用または使用を限定することを意図してない。
【００２９】
本発明の１以上の実施形態による公共サービスメッセージ位置放送システム（ＰＬＢＳ）は、公共サービス放送メッセージの放送のための改良されたシステム及び方法を提供する。公共サービスメッセージ位置放送システム（ＰＬＢＳ）のオペレータは、放送エージェントウェブポータルまたはウェブページまたはその他の類似のＧＵＩインターフェースと、ネットワークのセル放送メッセージングコンポーネント、ネットワーク及びプラットフォームの構成及び維持と、公共サービスメッセージ位置放送システムの管理及び動作と、移動体装置のサービスプロバイダを含むローカル通信サービスプロバイダへのインターフェースとを提供する。
【００３０】
１実施形態によれば、重大な公共の緊急事態においては、短いテキストメッセージが位置放送チャンネルによって送信される。位置放送メッセージを受信するように構成されている移動体装置または放送エージェントの電話機は、アイドルモードにあり、予め規定されたセルに位置していれば、その放送メッセージを受信し、そのスクリーン上でメッセージを表示する。
【００３１】
位置放送はダウンリンク専用モードで、予め規定されたセルから送信され、それ故、移動体サービスプロバイダから、または例えばＨＬＲ、ＶＬＲ等の移動体サービスプロバイダの移動性管理リソースの任意の部分からの、機能またはネットワークリソースを必要としない。
【００３２】
公共サービスメッセージ位置放送システムは、単一のＳＭＳメッセージよりもサポートしているネットワークに与える影響を少なくして、数百万の加入者へ公共サービスメッセージの同時送信を行う。このようにして、生じるネットワーク混雑は最少またはゼロである。
【００３３】
公共サービスメッセージ位置放送システム（ＰＬＢＳ）は緊急または公共サービスメッセージの放送と、ターゲット放送領域の識別を公共サービスまたは政府のエンティティから受信する。ＰＬＢＳは位置放送メッセージのエネーブル、セキュリティ及びマルチキャリアの相互動作能力、ターゲット放送領域内でサービスを提供する通信サービスプロバイダへの接続を提供する。
【００３４】
１以上の実施形態による公共サービスメッセージ位置放送システム及び方法は、公的な政府から一般人の情報放送であるメッセージの発生、送信、転送、表示を、予め規定された危険状態の地理的位置または領域中にある、又はその領域に入る全てのコンパチブルな通信受信装置へ提供する。
【００３５】
ＰＬＢＳシステムは、任意の公共サービスまたは、公共の安全性に影響を与える可能性がある許可されたメッセージングエンティティにより決定された任意の事件に関する緊急情報を送信する。これらには設備の故障、迷子の警報、悪天候の警報、洪水警報、テロリストの脅威の警報が含まれている。これらのメッセージは、ローカル通信ネットワークに参加している公共サービスメッセージ位置放送システムにより放送される。
【００３６】
受信者のアイデンティティ、予め定められた固定された配送位置、通常はサービス料金の支払いを必要とする他の緊急メッセージ放送サービスとは異なって、公共サービスメッセージ位置放送システムは、事件前に加入者の行動を必要とせずに、限定されていない人数の人々に実時間で到達するための放送メッセージング技術を使用する。
【００３７】
公共サービスメッセージ位置放送システムは、ホストする通信ネットワークに対する影響を最小にして、メッセージまたは警報を単一セルの地理的位置、地区、都市、または国家全体に提供するためにセル放送ＳＭＳ（Ｃ−ＢＳＭＳ）技術を使用する。
【００３８】
移動体またはセルラ電話機サービスプロバイダのようなローカル通信サービスプロバイダは、、サービスメッセージ位置放送システムが適時に、標準的で普通の移動体電話装置を使用して、危険状態にある可能性がある公共へ公衆メッセージを送信することを可能にするローカルインフラストラクチャおよび配備された技術を提供する。
【００３９】
ここで説明する公共サービスメッセージ位置放送システム及び方法は、放送エージェントが、リクエストされた放送メッセージを規定された放送ターゲット領域へ送信することを許可されていることを確実にするのに必要な機能及びステップを提供する。ここで説明しているＰＬＢＳ構造は、ネットワーク及びコンポーネントが秘密に対して安全であり、メッセージが伝送の前に許可されることを保証するための内部制御を与える。公共サービスメッセージ位置放送システムは放送エージェントに、放送ターゲット領域の簡単で適時の規定と、放送エージェントのメッセージ及び認証を確実にするためのインターフェースを提供する。公共サービスメッセージ位置放送システムはまた、放送ターゲット領域への放送メッセージの配送を行うインターフェースまたは多数の通信サービスプロバイダの相互接続及び機能を提供する。
【００４０】
公共サービスメッセージ位置放送システムは、以下の５つの部分からなる。  
１．公共サービス位置放送サービス局、  
２．放送エージェント端末／ウェブポータル／ウェブページ、  
３．公共サービス放送制御装置、  
４．キャリア放送センタ  
５．公共サービス位置放送報告装置
公共サービス位置放送サービス局（ＰＬＢ−ＳＢ）は、秘密に対して安全であることが好ましいＰＬＢＳオペレータ位置に位置されている。ＰＬＢＳ−ＳＢは、メッセージの認証と、このようなメッセージを作成するための送信者の権限を確認する。管理オペレータは、放送エージェントの権利と特権を制御するために管理サブシステム中にユーザプロフィールを設定する。例えば警察署の放送エージェント端末からＰＬＢＳ−ＳＢへの信号は、カバーされている地理的領域と、メッセージを示すだけである。ＰＬＢＳ−ＳＢはその後、放送リクエスト信号を、関係する各ローカルキャリアのオフィスにあるキャリア放送センタへ送信する。
【００４１】
ＰＬＢＳ−ＳＢは、コストの割当てに必要であるような、請求書送付ゲートウェイ管理機能も行うことができる。ＰＬＢＳ−ＳＢは記憶された位置放送メッセージングデータを使用でき、１実施形態では、公共サービス放送エージェントによりリクエストされた地理的カバー領域へアクセスすることができる。ＰＬＢＳ−ＳＢは放送領域の人口密度を決定または計算するように構成されてもよい。ＰＬＢＳ−ＳＢは顧客のアカウントデータ、認証、セキュリティ、管理、顧客における申込み限定、管轄権、又は放送エージェントを管理することもできる。
【００４２】
各アカウントでは、放送エージェント管理者が指名される。警察署長または市政担当官のような権限が認められる人が、このような役目に適切であるが、その人物はこれを情報技術サービスグループ中の人に委ねることができる。放送エージェント管理者（またはその代理人）はその人の制御下で、幾つかの放送エージェントアカウントを有し、これはその人の下で権限を有するが、大きな重要性はない。例えば放送エージェントの管轄は放送エージェントの管理者の管轄内である。
【００４３】
ＰＬＢＳ−ＳＢを使用して、管理オペレータは放送エージェントの管理者の認証をチェックおよび／または確認し、放送エージェントの組織の管轄領域を規定または確認する。管理オペレータは、ＰＬＢＳサービス局システム内の顧客及びエージェントのプロフィールを管理する。管理オペレータは、操作および管理データとＰＬＢＳ−ＳＢの動作のプロフィールを管理するために秘密保護されたアクセスを有する。最良の実施と理解のメモランダ（ＭＯＵ）は政府の機関および／または地域のキャリアにより規定される。例えば沿岸警備隊は、沿岸領域は非常に大きい可能性があるが、沿岸領域だけにアクセスする。別の例では、河川の担当局の管理者は、切し迫った洪水を警報するが、人々に少ない水量で命令しないことを示す指針を有する。河川の担当局の管轄は河川、水路、氾濫原のみを含むことができる。
【００４４】
任意のデータおよび／またはファクターが管理オペレータによって、ＰＬＢＳ−ＳＢへ入力され、システム動作のためにＰＬＢＳ−ＳＢにより使用されることができる。各放送エージェント管理者は放送エージェントが属すアカウントを有することができる。そのアカウントは、放送エージェント管理者により累積された使用を示すために更新される。記録されるファクター及びデータには以下のものが含まれている。  
１．警報の言語  
２．放送エージェントの管理者のアカウント所有者の契約の詳細  
３．メッセージ放送の総数  
４．到達した人口係数  
５．メッセージ−人口係数（メッセージ数×到達した人口）  
６．記録（各放送は後に観察するためにアカウントに記録される）  
７．契約の満期日  
８．この放送エージェントの管理者に許可されたネットワーク  
９．許可されたチャンネル番号  
１０．メッセージ、フットプリント、放送ライブラリ  
１１．管轄限度  
１２．人口限度  
１３．メッセージの長さの限度  
１４．ウェブポータルの言語  
１５．報告パラメータ及びアドレス  
１６．許可規則およびサービスの否認のような操作上の事象
状況によっては、ｅ−メールまたはウェブページの形態の報告が管理オペレータおよび／または放送エージェント管理者に対して送信されるか利用可能にされてもよい。このような報告は、アカウントのクレジットが満了しようとしている警告、或いはアカウントまたは活動状態を含むことができる。このような報告は規則的または特定された間隔で、規定され、又はリクエストされ、或いは提供される。
【００４５】
サービスはこの割振りを超過した放送エージェントまたは放送エージェント管理者に対しては自動的に否認されることができる。
【００４６】
他のケースでは、アカウント状態についての情報は、ログオン時、およびメッセージを提案するときに、放送エージェントへ通報されることができる。これによって、放送エージェントは、限度に近い場合には、その割当てを維持することについて再度考慮することができる。
【００４７】
ＰＬＢＳ−ＳＢはまた、放送メッセージの管轄が特定の放送エージェントの管理者および関連される放送エージェントの地理的領域であることを規定してもよい。放送メッセージの管轄は任意の数のファクター、データ、又はサービスを規定できる。第１に、アクセスされ、または地図のフォーマットで表示される地理的区域または領域を放送エージェントの管理者の放送エージェントに規定または割当てる。さらに、放送メッセージ管轄の全てまたは一部は、公共サービスの放送メッセージが送信される１以上の放送メッセージターゲット領域または“放送ターゲット領域／フットプリント”を規定することをエネーブルまたはディスエーブルされることができる。第２は、特定の放送エージェント管理者または放送エージェントにより発生された公共サービス位置放送メッセージ中に含まれるキャリアまたは通信ローカルキャリアの識別および仕様である。これは放送メッセージを与えられるべき、１以上のネットワーク、ネットワークコンポーネント（キャリア放送センタまたはネットワーク交換センタのような）、又はサブネットワークを規定することも含むことができる。
【００４８】
放送エージェント管理者はその制御下、或いはその放送メッセージ管轄内で、その放送メッセージの管轄および１以上の放送エージェントに関連する限定または規則をさらに設定することができる。例えば、それは警察署または消防署、或いは警察署または消防署のサブ境界に基づいた割当てサブ領域またはサブ管轄において、異なるレベルの権限を設定することができる。
【００４９】
各放送エージェント管理者に対しては、放送ターゲット領域／フットプリントライブラリが発生され、放送エージェント間で共有される。しかしながら、場合によっては、放送エージェント管理者は、既存の同意に基づいて、放送ターゲット領域／フットプリントを予め規定することを望む可能性がある。例えば、これらは竜巻監視ボックスまたは化学工場周辺の委任された警報ゾーンを含むことができる。
【００５０】
この場合、放送エージェント管理者は、幾つかの放送エージェントが放送ターゲット領域／フットプリントライブラリをアクセスすることだけを可能にするか、或いはライブラリおよび地図ツールを使用できることを可能にする選択肢を有する。他の放送エージェントは新しい放送ターゲット領域／フットプリントを生成し、これらをライブラリに記憶する権限を有することができる。
【００５１】
場合によっては、放送ターゲット領域／フットプリント領域は複雑である可能性がある。新型のフットプリントライブラリ特性は、放送エージェントが領域をカバーされるように予め規定し、これらの領域をその放送エージェントに特有の放送ターゲット領域／フットプリントのライブラリに記憶することを可能にする。例えば、河川の氾濫領域を簡単なマウスクリックによって規定するのは複雑である可能性がある。これを事前にしておきたいならば、緊急メッセージが生じそうなときに迅速にコールバックする。別のケースでは、竜巻の監視ボックスが政治的手段により予め規定され、このようにして参照が容易になるであろう。
【００５２】
この特徴は、特定の放送エージェントが例えば、主要な高速道路または、海岸のような沿岸領域をカバーする権限だけを有する場合に、必要とされる。これらは管理オペレータにより予め規定されることができ、その後、ロックされ、それ故、放送エージェントが放送ターゲット領域／フットプリント領域に関して限定された権限を有する。
【００５３】
１つのメッセージが到達することのできるユーザ数には制限はなく、理論上、許可されたオペレータはメッセージを同時に、国内のあらゆる人に送信することができる。大部分の権限は比較的限定されているので、アカウントは１つの放送エージェントをベースとして設定されることができ、それによって１つのメッセージによりアドレスされる領域を決定することができる。許可制御特性は、進行に同意する前に、新しいメッセージを人口係数についてチェックする、そうしないならば、メッセージは拒否され、放送エージェントはメッセージと、説明を伴った報告とを受信する。続けると、放送エージェントは領域を、１つ重要度を下げて設定し、より多くの人口の権限を有する別の放送エージェントから許可をリクエストする。人口係数は、管理システムが各放送エージェントについて記録する使用統計を生成するためにも使用される。放送エージェントが同意した限度を超えたならば、アカウントは閉じられ、これを説明するｅ−メールが放送エージェントの管理者へ送信されることができる。
【００５４】
非常に人口密度が密であるとき、無線基地局の間隔のために、人口の制御はまたローカルキャリアに対して行われる。過密の都市領域は、地方の環境の同一の対応する領域よりも多くのセルによってカバーされることができる。通報の視点からは、より多くのセルが国の都市の領域で通報される。それ故、人口とネットワーク負荷の関係は有効な関係である。例えば、アカウントの管理により生成される報告から直接人口係数を得るので、メッセージ数×ターゲットとされる人口（Ｍｅｓｓ＊Ｐｏｐｓ）は、請求書送付を解決する１つの可能な方法である。
【００５５】
放送メッセージは共に連結されている１５個の８２文字メッセージからなってもよい。標準的なメッセージのデフォルトの最大寸法は、９３文字または８２オクテットのデータである第２世代のＧＳＭシステムにより使用されることができる大きさであってもよい。しかしながら実際には、各メッセージは多数の言語メッセージをサポートするため、および実用的な応用の理由のためにさらに少数であるべきである。放送エージェント管理者は個々のメッセージの長さに限度を設定することができる。放送エージェント管理者はさらに、総合的にどの程度の量がその制御内の全ての放送エージェントにより送信されているかについて限度を設定することができる。新型のメッセージダイアローグボックス上の拡張されたメッセージボタンは、必要に応じてさらにメッセージ内容の設定を行う。将来のシステムでは、メッセージは写真または地図のようなマルチメディアメッセージを含むことができる。このような場合には、マルチメディア設備のダイアローグボックスが利用される。
【００５６】
放送エージェント管理者はまた、メッセージライブラリ内にセットメッセージを予め規定することもでき、それによって、アカウントはこれらのメッセージだけを放送できる。その他はそれら固有に作成し、それらをライブラリ中に記憶できてもよい。過去のメッセージもまた後にリコールまたは反復するためにメッセージライブラリ中に記憶される。新型のメニューから、またはクイックメッセージボックス上の新型のボタンから、放送エージェントは新型のメッセージパネルを選択することができる。ここで、放送エージェントはメッセージを制御するためのさらに多数の選択肢を有する。例えば、特定のメッセージは頻繁に使用され、またはメッセージの正確な語法が、前もってさらに高い政治レベルで同意されており、この語法だけが同意されることができる。このようなケースでは、放送エージェントは、この放送エージェントに利用可能な標準的なメッセージをメッセージライブラリから選択する。このシステムは過去のメッセージを記憶し、再送信のためにこれらを検索することができる。
【００５７】
緊急事態が長期にわたって継続するならば、位置放送メッセージが限定された期間だけ継続し、反復されるので、システムはメッセージを反復する能力を提供する。他のケースでは、放送事象が、水位装置のような自動マシンによりトリガーされてもよい。そのような事象が生じたならば、政府当局とローカルキャリアとにより同意された指針にしたがって、その組織の放送エージェント管理者と、ＰＬＢＳ−ＳＢでアカウントを管理する管理オペレータとの間で、事前の同意により設定されたように、その事象は予め規定されたメッセージをトリガーする。
【００５８】
放送リクエストは、メッセージと放送ターゲット領域／フットプリントの両者を含んでいる。場合によっては、放送ターゲット領域／フットプリントとメッセージは、メッセージを送信するときに関する選択だけを他の放送エージェントに与える放送エージェントの１つのグループによって予め規定されることができる。放送ライブラリはまた、迅速なリコールのためと、放送エージェント組織内の内部管理の理由で、先に送信されたメッセージのコピーと、それらの放送ターゲット領域／フットプリントを維持する。
【００５９】
システムはまた幾つかの言語の公共メッセージの放送も行う。この場合、放送エージェントは他の言語のメッセージが編集されるまで、進行を許可されない。その代わりに、放送メッセージは、それぞれが入来するとき、各言語で送信されることができる。そうでなければ、最善に翻訳するために翻訳サーバに通報されることができる。アカウント管理パラメータはこれを決定する。
【００６０】
多くの場合、ユーザは異なる言語が主要言語である領域からの旅行者である可能性がある。そうであるならば、各言語による警報用に別々のチャンネルを維持することによりユーザはそのユーザの固有の言語でメッセージを受信することができる。これは、多言語国、または国境沿い等の国の一部分で必要とされる可能性もある。ＰＬＢＳオペレータまたは放送エージェント管理者はまた、２以上の言語でメッセージを送信するために政府当局によって要求される可能性がある。その場合には、管理システムは、放送エージェントに、必要とされる全ての言語でメッセージを開くようにリマインドする。その後、それらを共に連結し、それによって１つのメッセージがリコールされるとき、これらは共に全てリコールされ、同一の言語であるように扱われる。
【００６１】
放送エージェントは他の言語でメッセージを読み書き込むことができない可能性があり、例えば、放送エージェントは中国語またはアラビア語が読めない可能性がある。この場合、放送エージェントはメッセージのライブラリへ行くことができ、ここで自動的に他の言語メッセージに整合させる。しかしながらこれはメッセージが何等の変形も含まないものに限定される。
【００６２】
放送エージェントがネットワークからメッセージをリコールし、その放送を停止するように命令することを決定するならば、連結は、全ての言語が同時にリコールされることを確実にする。
【００６３】
システムはまた、単一の放送が放送を継続する時間の長さの仕様を提供する。例えば、多くの状態では、２０分間の放送が十分な長さである可能性があり、その後に再度メッセージを送信するための新しいコマンドが開始される。ＰＬＢＳシステムは放送エージェントのアカウントで設定されるデフォルト時間を与えることができる。さらに、新型のメニュー選択肢では、放送エージェントが開始時間および停止時間を設定することを可能にされることができる。
【００６４】
別のケースでは、キャリアまたはそれらのネットワークは、放送メッセージがセルに特定された開始時間および停止時間を有することを必要とする可能性がある。メッセージはセルにおいて保持され、開始時間が生じるときにのみ送信され、その後、メッセージを停止するためのコマンドがセルにより受信されなければ、送信は、停止時間が発生するまで規則的な間隔である。このようにして、ＰＬＢＳはＰＬＢＳ−ＳＢによりＮＯＷに設定されているデフォルト開始時間と、２０分間である停止時間とを含んでいる。幾つかの状態では、放送エージェントは前もって予め定められた時間に転送するためのメッセージを設定するか、または長時間または短時間に放送時間を設定するための権限を有することができる。例えば放送エージェントはハイウェイの遮断を計画し、したがって夜間のメッセージを予めプログラムすることができる。これは正に、無線およびその他で注意が必要とされる瞬間の混雑したコマンドセンタの労力を節減する。
【００６５】
新型のメッセージウィンドウでは、開始および停止時間ボックスがデフォルトに設定されて現れることができる。放送エージェントはこれらを変更する選択肢を有するが、通常通り、管理システムは、放送エージェントがメッセ−ジを進行する前に、それを行う権限を有することをチェックする。
【００６６】
チャンネルコードは、送信されるメッセージのタイプを規定し、それは次に、放送を提供する人のタイプを規定する。端末を所有する加入者は、自分の判断でチャンネルをオンまたはオフに切換えなければならない。アカウントはこの放送エージェントに対してデフォルトであるチャンネルコードと、許可されているチャンネルコードとを規定する。
【００６７】
放送メッセージはチャンネルコードによって進行される。ユーザには彼等の電話機上のメニューを行うことによって、彼らが受信したいと望むメッセージのタイプを選択する選択肢が与えられることができる。移動体電話機によっては、メッセージの受信をディスエーブルするように設定されたデフォルト状態で販売されている。しかしながら、放送メッセージの大量配送を可能にするために、チャンネル番号は種々のメッセージタイプに対して規定されている。
【００６８】
いずれにせよ、放送エージェントは、警報を公衆にアドレスする以外に、別の特別な要求を有する可能性がある。放送エージェントは例えば、その領域の警察官または近所の見張りのボランティアにのみアドレスすることを望むかも知れない。他の例では、その領域内には、幾つかの状態および位置で、例えばサイレン乃至音のようなある方法で、動作するように命令される必要がある自動装置が存在してもよい。もしも存在するならば、異なるチャンネル番号が規定される。
【００６９】
放送エージェントが権限を有するならば、チャンネル番号は変更されることができる。簡単なバージョンでは、デフォルトは公共安全メッセージ放送のための標準的なコードである。いずれにせよ、このコードは、メッセージが放送エージェントの権限を検査するために送信される前に、放送エージェント管理者により、放送エージェントプロフィールに対してチェックされる。
【００７０】
多くの領域で、２以上の公用言語が使用されている。このような領域では、１言語を話す人は、異なる第１順位による多数の公用言語を有する国へ規則的に国境を越えることができる。他のケースでは、海上サービスのように、その船が何れの国の範囲にあるかにかかわりなく、情報は同一のコードでなければならない。それ故、システムは１地域の全ての主要な公用言語で警報メッセージを送信する能力を提供する。システムはこの要求に取り組むことにおいて、ネットワークおよび政府当局のフレキシブル性を与えるための機構を提供する。
【００７１】
ユーザは彼等の電話機の１以上の機能を切換えることを必要とされる可能性がある。ユーザは、そのユーザが自分の言語のメッセージを得ることを知っているならば、そうしようとすることができる。ユーザが２以上の言語を話すことができるならば、そのユーザは自分の判断で２以上のコードをエネーブルすることができる。さらに、ユーザが旅行者または移動中のビジネスマンであるならば、ホスト国がユーザの固有の言語でメッセージを送信する場合、ユーザは自分に固有の言語でメッセージを得る。例えば、空港では、乗客がその地域の言語を話すか否かに係わり無く、乗客に警報を与えるために、当局は英語と公用言語での送信をすることを決定できる。人気のある休日のリゾート地はもう１つの例である。
【００７２】
さらに、何れの言語が第１言語であるか、第２言語であるかに係わり無く、政治的に不安定な位置が存在する可能性がある。１実施形態では、ＩＳＯ  ６３９で特定されている国際的に認識された順序にしたがった予め割当てられたコードが実行されることができる。１４５個のコードの使用が大部分の言語（プラスさらに特別な場合のための幾つかのスペア）をカバーしている。しかしながら、ネットワークは別の目的で、未使用のコードを使用することができる。いずれにせよ、１０００個のコードが利用可能であるので、良好な解決策と比較して、この損失は低価格である。
【００７３】
国際的に同意されたコードが必要とされる幾つかのケースが存在する。１つの適例は、海上サービスのチャンネルの例である。多くの小型の娯楽船と小型の沿岸釣り船は海上の無線装置と適合されない。しかしながら、多くの場合、ボートの乗船者のうちの一人が移動体装置を所有している。確かに、ほとんどの大型船はＧＳＭ設備を有している。そうであるならば、沿岸当局はＣＢ海上サービスチャンネルによって海上安全情報を中継することを決定することができる。そうであるならば、沿岸船がこのチャンネルをオンに切換えることを期待する。その場合、チャンネル番号は船が訪れることのできるあらゆる港で同一である必要があり、国際的に割当てられたチャンネルを必要とする。別の例では、国連（ＵＮ）はそれらのため、および任意の非政府組織（ＮＧＯ）のために労働する全ての国際的な救済作業員のセキュリティ問題を取り計らう責任を有する。ＵＮセキュリティ−コーディネータ（ＵＮＳＥＣＯＲＤ）が標準的なチャンネルを有するならば、この移動性が高いが非常に脆弱なグループは、これらが境界を変更する度に、電話機のチャンネル番号を変更する必要なく、地理的な特定をベースにして到達可能であろう。これらの２つの例は、極端であるが、多境界放送エージェントをサポートするための現在のシステムの利点を示している。
【００７４】
ＰＬＢＳと一貫するコード化方式の１実施形態は付録１で与えられている。
【００７５】
全ての放送メッセージはログファイル中のＰＬＢＳ−ＳＢにより記録されており、放送エージェントまたは管理オペレータにより不正に変更されることはできない。メッセージにおいて問題が生じた場合、放送エージェント管理者、管理オペレータおよび／または政府当局は何が生じたかを決定するために、記録を観察することができる。
【００７６】
このファイルはオフラインの統計およびアカウント管理のために使用されることもできる。報告システムは必要ならば、ｅ−メールによって、放送エージェントおよび／または放送エージェント管理者へコピーを送ることができる。場合によっては、請求書送付はメッセージの記録と、請求書送付を得るため同意された情報を使用するオフライン請求書送付ゲートウェイプログラムから得られる。
【００７７】
放送エージェントはローカルキャリアがこの目的に対してそれらのネットワークを使用する許可を必要とする。個々のアカウントの管理は各放送エージェント管理者に対するネットワーク指針を規定するために管理オペレータに与えられる。各放送エージェント管理者に対してその人のトラフィックの所有に同意しているキャリアは個々に通報される。放送エージェント管理者にはキャリアのプロトコルまたはビジネス要求に一致するために種々のキャリア間のインターフェースをカスタム化する能力が与えられる。
【００７８】
メッセージはそれらのネットワークによって、放送送信のためにキャリアに送信される。ほとんどの場合、メッセージはその領域のカバー範囲を提供するあらゆる既知のオペレータにより送信され、移動体キャリア、デジタル私設無線システムオペレータ、私設無線システムオペレータ、インターネットプロバイダ、ワイヤライン通信サービスプロバイダ、衛星サービスプロバイダ、ＣＡＴＶオペレータなどが含まれる。
【００７９】
ＰＬＢＳ−ＳＢはメッセージのコピーと、キャリア放送センタ（ＣＢＣ）によりさらに処理されるために各オペレータのネットワークセンタに必要な放送ターゲット領域／フットプリントについての地理的な情報を送信し、それによって関係するセルを決定し、その後、正確な交換センタまたはゲートウェイプラットフォームへ信号を送信する。幾つかのメッセージは警察の無線ネットワークのような組織により使用されている私設デジタル無線システムのためのみに意図されることができる。他の場合では、地図または写真のようなマルチメディアメッセージのテキスト−ケパブル２Ｇネットワークへの送信は、適用可能ではない。
【００８０】
キャリアまたは通信オペレータは、メッセージソースからの、または特定の主題、コンテキスト、又は内容のメッセージの受け取りを拒否することができる。それぞれの場合において、選択されているネットワークは、メッセージが送信される前に、管理サブシステムまたは管理エンティティによってチェックされることができる。
【００８１】
場合によっては、送信者はその時間を経過する前に、メッセージのリコールを決定することができる。この場合、放送エージェントはメッセージライブラリからメッセージを選択し、ボタンを押す。登録は関係するネットワークまたはキャリアに対してリコールコマンドを送信する。
【００８２】
緊急状態は非常にダイナミックであり、その状態はメッセージの送信のすぐ後、およびメッセージ時間の満了のすぐ前に変化する可能性がある。そうであるならば、ＰＬＢＳは放送エージェントにメッセージをリコールする能力を提供する。システムはまた、ウィンドウに表示されるようにメッセージを呼出すためのリコールボタンを含んでいる。各メッセージは迅速なリコールの目的のために、日番号を与えられる。
【００８３】
ユーザは、放送が放送のためのネットワークへ本当に送られたことを知ることを望む可能性がある。これはｅ−メールまたはブラウザの報告ボックスにより行われることができる。
【００８４】
実際の放送はゲートウェイおよびスイッチのネットワークを通って、ローカルキャリアにより管理されるので、ＰＬＢＳ−ＳＢはネットワークへのハンドオフが行われた後に、プロセスにさらに影響を与えることはできない。それ故、返送することが可能な任意の進行情報は、ハンドオフの瞬間までしか妥当ではない。
【００８５】
報告システムは、それまでにサーバをログオフしていないならば、ポップアップウィンドウを放送エージェントへ返送することができる。これはメッセージがネットワークへハンドオフされたことを示すチックを示すことができる。しかしながら、それはメッセージが実際にはこのときに送信されていることを示さない。
【００８６】
随意選択的に、報告システムはメッセージが送信されていることを放送エージェント管理者に通知するために、ｅ−メールを放送エージェント管理者へ送信することができる。任意の不規則さが生じるか、同意されたメッセージをほぼ使い尽くす等のような、その他が事象をトリガーするならば、これを報告する報告がｅ−メールで、放送エージェント管理者へ送信されることができる。
【００８７】
平文テキストメッセージとして報告が自動的に発生され、放送エージェント管理者および／または管理オペレータによって規定された電子アドレスまたはｅ−メールアカウントへ送信される。
【００８８】
ＰＬＢＳサービス局によって直接的にまたは間接的にホストされるようなウェブポータルは、以下説明するように、放送エージェントの位置のウェブブラウザと通信する。ポータルの目的は放送リクエストと、以下の情報を保持するファイルの作成である。  
ａ．放送ターゲット領域／フットプリント  
ｂ．放送メッセージおよび関連されたパラメータ  
ｃ．放送エージェントユーザＩＤおよびパスワード  
ｄ．放送リクエストの状態（提案され、認証されたハンドオフの時間）および状態の報告。
【００８９】
許可制御サブシステムは、この時点で特定の放送エージェントによる提案された放送リクエストが本物であることを、それがネットワークへ通過する前に確認する。
【００９０】
放送エージェントおよびセッションに対しては、ポータルは放送エージェントの管轄の地図と放送ターゲット領域／フットプリントからなる放送エージェントに対する環境と、メッセージおよび適用する放送ライブラリを提供する。ポータルはこの情報をアカウントデータから得る。多言語特性が必要であるとき、適切なウィンドウがメッセージウィンドウ中に与えられる。
【００９１】
放送エージェントのウェブポータルは、現在のシステム日付と、作成メッセージボタンが押されたときからの時間の名称で、放送リクエスト記録を作成する。
【００９２】
放送エージェントがＧＯボタンを押したとき、許可システムはアカウントデータベースから放送エージェントのプロフィールを取出す。ここで、放送エージェントの全てのパラメータおよびメッセージをチェックして、メッセージが認められるか拒否されるかを検査する。
【００９３】
メッセージが拒否されるとき、放送記録は、その状態レジスタによりそのようにマークされ、報告のために送信され、その後報告が発生され、アカウントデータのパラメータ当りとしてｅ−メールされる。その放送記録は、放送記録中に報告と共に記憶される。放送エージェントは新しい番号を有する新しい放送を作成する。
【００９４】
放送エージェントＩＤとパスワードの詳細はその後、放送エージェントを認証するためにプロフィールに対してチェックされる。本物でなく認証されならば、メッセージは拒否される。許可のためにその後、そのプロフィールに対して放送ターゲット領域／フットプリントがチェックされる。管轄区域内ではないならば、メッセージは拒否される。許可のために、その後、放送ターゲット領域／フットプリントから得られた領域を人口密度により乗算することによって、このメッセージに対する人口係数を計算する。人口密度係数はアカウントデータから引出される。［総メッセージ］、［人口密度］、［総メッセージ＊人口］係数はその後、アカウントデータから引出され、新しい係数が放送記録に付加されるが、アカウントデータへは書込まれない。総合結果はアカウントデータ中に設定された限度に対してチェックされる。限度を超過しているならば、放送が進められることができるか否かを見るために、許可ルールがチェックされる。放送を進めることができないならば、メッセージは拒否される。その代わりに、許可ルールにしたがって報告が発生されてもよい。
【００９５】
多言語メッセージ放送のチェックは、政府当局により要求されるとき、放送エージェントが各言語のメッセージを規定したか否かを見るために行われることができる。規定していないならば、放送は許可制御ルールに従って拒否されてもよく、拒否されなくてもよい。
【００９６】
リクエストされたネットワークはアカウントデータに対してチェックされる。ポータルはアカウントデータが示している規定されたネットワークを有することができるが、場合によっては、幾つかのネットワークは幾つかのチャンネルを受取り、他は受取らない可能性がある。そうであるならば、放送は許可されたネットワークで継続し、他では拒否され、或いは共に拒否されることができる。
【００９７】
放送リクエストが妥当であるとして許可が満足されたならば、これは分配システムヘ送信される。
【００９８】
許可制御は、任意の放送リクエストが予め設定された指針に基づいて承認条件を満たすことを確実にする。何が受諾可能で何が受諾可能ではないかについてのパラメータは管理データベース中に管理オペレータにより設定される。各登録された放送エージェント、即ち放送の作成を許可された人は誰でも、管理データベースに記録される別々のプロフィールを有している。管理オペレータだけがこのファイルにアクセスを有し、放送エージェントを生成し、編集し、消去することができる。全ての放送エージェントは放送エージェント管理者に属しており、決して、それらの放送エージェント管理者を超える権限はもっていない。
【００９９】
管理データベースで使用されるパラメータはＰＬＢＳ−ＳＢシステム記述文書で再検討される。ユーザＩＤ、放送エージェントの報告先の放送エージェント管理者、現在のパスワード、各放送エージェントの認証キーについての他のパラメータも含まれてもよい。
【０１００】
管理サブシステムは、放送リクエストと呼ばれるオブジェクトの作成を行う。このファイルは各提案について知られている全てを詳細を含んでいる。これはシステムによって各放送リクエストの進行を追跡するために使用されるフラグのチェックリストを含んでいる。放送リクエストは提案を受取ったＰＬＢＳ−ＳＢからなる特有のＩＤと、これが妥当な提案として受取られたときを識別する日時グループにより知られる。
【０１０１】
放送エージェントが“提案”または“ＧＯ”ボタンを押したとき、管理者は放送リクエストが十分な必要情報を有して作成され、正確にフォーマットされていることをチェックする。提案が正確にフォーマットされているとき、それは係属中の提案が維持されている領域のログファイルデータベース中に記録される。管理システムはその後、許可制御システムに動作するように命令する。
【０１０２】
図Ｘを参照すると、他に示されていなければ、イエスの回答が横から来て、ノーの回答が下から来る規約が適用されている。
【０１０３】
次の放送エージェント-付勢されるとき、許可制御（許可）は次の放送エージェントを係属中の放送エージェントが待機しているログファイル区域から引出す。ＡＣ（許可制御）はまた全てのパラメータをコピーする。
【０１０４】
ユーザファイルの引出し-ユーザＩＤが読取られ、放送エージェントプロフィールが管理データベースから引出される。
【０１０５】
セキュリティ故障-ユーザＩＤはパスワードと、データベースに入力された認証キーに対してチェックされる（管理制御システムは、秘密保護トンネルまたは仮想私設ネットワークすなわちＶＰＮアクセスの場合に、発生端末のデータリンクとネットワークアドレスを確認する）。
【０１０６】
セキュリティ報告-セキュリティチェックが失敗したならば、故障の理由を説明する短いメッセージが発生される。短いメッセージはこの放送リクエストの報告フィールドに添付される。セキュリティの違反または警報の場合には、試みられた行為に関する詳細のような付加的なデータが含まれることができる。
【０１０７】
全て拒否フラグ設定-この放送エージェントの送信を防止するために、拒否フラグが送信を制限するために、全ネットワークフィールド上の放送リクエストに対して設定される。
【０１０８】
次のネットワーク-セキュリティに問題が存在しないならば、最初の試行されたネットワークを知るために放送リクエストが検査される。このネットワークに対する許可パラメータは管理データベースから問合せられ、検査される。これが全てのネットワークで行われるとき、放送リクエストのコピーは分配システムヘ送信され、これはネットワーク管理者センタのキャリア放送センタへ送信するために放送リクエストを信号へ変換する。標準的なプロトコル、または放送メッセージ提出プロトコル（ＢＭＳＰ）のような、特定用途用プロトコルであってもよい通信プロトコルが使用される。
【０１０９】
全ネットワーク終了-全ての要求されたネットワークが解析されたか否かを決定するために、ファイルマーカーの終了がチェックされ、読取られる。全てのネットワークが通報されたとき、コピーが放送エージェントヘ送信される。
【０１１０】
報告のためのコピー-全ての放送および放送リクエストのコピーは放送リクエスト報告フィールドに書込まれ、または記憶され、これは報告サブシステムヘ送信され、放送エージェント管理者およびキャリア放送センタまたはそれらの報告サブシステムへ送信される。
【０１１１】
ログファイルへのコピー-放送リクエストはログファイル中に記憶され、係属中の領域から消去される。
【０１１２】
管理終了-管理終了フラグまたは通知は、管理プロセスの終了を示すタイムスタンプと共に放送リクエスト記録上に設定される。
【０１１３】
次の放送エージェントパラメータ-次の放送エージェントパラメータは、管理データベースから検索され、リクエストする放送エージェントと比較される。
【０１１４】
全てのパラメータ終了-全てのパラメータ終了プロセスは、全てのパラメータが評価され、ファイルプロセスが終了に近いことを確実にする。
【０１１５】
故障？-故障プロセスは、放送リクエスト中のパラメータが、ＰＬＢＳにより規定されたような放送メッセージおよび／または放送エージェント管理者の予め規定された基準を満たしていないか否かを決定する。
【０１１６】
パス報告-パラメータが予め規定された基準内であるならば、報告システムは放送リクエスト報告に、パラメータが合格したことを示す短いメッセージを添付する。これはトラベルシューティングと、問題の解決を行う。
【０１１７】
拒否？-テスト中のパラメータが予め定められた基準内に入らないならば、そのパラメータは落第であり、特別な処理手順が与えられる。このような手順はシステムのオーバーライドまたはオペレータのオーバーライドを可能にし、このような放送リクエストは予め規定された基準内のパラメータを考慮して継続されることができる。このような手順は拒否パラメータのチェックを含むことができる。
【０１１８】
警報報告-拒否パラメータが満たされないならば、警報メッセージが発生され、放送リクエストに添付される。
【０１１９】
警報フラグ-警報フラグは特定のネットワークに対して設定される。
【０１２０】
拒否報告-拒否パラメータが、放送リクエストが拒否されたことを示すならば、拒否報告が発生され、放送リクエストに添付される。
【０１２１】
拒否フラグ-拒否フラグは拒否パラメータの指示時に、ネットワークに対して設定される。拒否フラグはネットワーク設備または構成の関数として１以上のネットワークに適用することができる。
【０１２２】
拒否フラグがこのネットワークを設定-全てのパラメータが評価されたとき、全パラメータ終了メッセージが戻される。特定のキャリアおよびキャリアのネットワークまたはキャリア放送センタ（ＣＢＣ）へ送信するためのブロード分配者へ放送リクエストを送信する前に、放送リクエストまたはメッセージがエンティティまたはシステムにより拒否されているか否かの決定が行われる。放送メッセージが特定のネットワークに対して拒否されていないならば、そのメッセージは通過される。
【０１２３】
放送リクエスト分配者へのコピー-放送リクエストの全てまたは関連部分のコピーが放送分配者へ送信されるか、待ち行列中に位置される。放送分配者は、キャリア或いはキャリア放送センタ（ＣＢＣ）に通信するための送信設備またはリンクに関連する１以上の予め定められたパラメータ、フォーマット、又はプロトコルにしたがってデータを再フォーマット化してもよい。
【０１２４】
提出報告-提出日およびタイムスタンプが報告に添付され、ＢＬＢＳおよび／または放送エージェントアクセス装置により記憶される。プロセスは次のネットワーク点に戻り、それによって各ネットワークはネットワーク特定基準およびパラメータを有するので、次のネットワークが評価される。
【０１２５】
放送エージェントアクセス装置を使用して、放送エージェントは形状を描くか、放送メッセージが送信されるべき地図上の領域を示すことによってターゲット領域を規定する。このターゲット領域は２以上のキャリアまたは通信サービスプロバイダによりサービスされる可能性があるので、ＰＬＢＳはターゲット領域全てまたはその一部にサービスするキャリアを決定する。ＰＬＢＳは一体システムまたはモジュール或いは別々の独立したシステムまたはモジュールであってもよい放送分配者によって、この機能を行うことができる。これはハードウェアまたはソフトウェアで実行されることができる。放送分配者は放送メッセージを、放送リクエストにより規定されるようにターゲット領域の全てまたは一部へサービスを提供するキャリアのキャリア放送センタ（ＣＢＣ）へ伝送する。これは表、チャートまたは地図を含めた任意の可能な構成で実行されることができる。
【０１２６】
オペレータは、キャリア放送センタ（ＣＢＣ）の異なるモデル、例えばＧＭＧ 1.5、ＣｅｌｌＴｅｃｈ、またはＬｏｇｉｃａ1100を有してもよく、各タイプに対して異なるモードの通報が行われることができる。１つの既知の産業標準プロトコルはＢＭＳＰである。管理データは、適切なキャリア放送センタ（ＣＢＣ）インターフェース装置のためのルーティングまたはアドレス情報を含んでおり、それによって適切なシグナリングプロトコル変換が行われる。
【０１２７】
ＣＢＣへの通報は、ＷＧＳ８４座標の領域の多角形、メッセージ、関連するスケジュール情報を規定する産業上標準的なＢＭＳＰプロトコルを使用してもよい。ＣＢＣは提案された放送メッセージの妥当性についてのチェックを行い、多角形をセル識別（セルＩＤ）リストに変換する。１実施形態では、ＣＢＣは、ＧＳＭ０３．４９プロトコル／リストのような標準的な通信プロトコルによって、セルＩＤリストを放送交換センタ（ＢＳＣ）へ送信する。ＰＬＢＳ−ＳＢとＣＢＣとの間の伝送は、ローカルキャリアにより要求されるとき、ＴＣＰ／ＩＰ秘密保護トンネル化プロトコルまたはＸ２５を含むことのできる市場で入手可能なシステムおよび設備を使用できる。
【０１２８】
ＰＬＢＳ位置セレクタがキャリアまたはローカルキャリアの位置に設けられるとき、放送リクエストファイルは、ＣＢＣまたはＢＳＣへ送信する前にセルＩＤリストへローカル処理するために、ＦＴＰ／ＴＣＰ／ＩＰにより、位置セレクタへ送信されることができる。
【０１２９】
管理オペレータは、各放送エージェント管理者の管理および動作パラメータとプロフィール、認証、限定を指定するためにシステムを使用する。これらは政府の規制、交渉済みの同意、標準または方策および実施にしたがうことができる。これには種々の放送エージェント管理者および／または放送エージェントに対する許可のスケジュールの設定が含まれることができる。
【０１３０】
管理オペレータはまた、アカウントパラメータを設定するためにシステム内に管理データベースを設定し、それによって放送エージェント管理者およびそれらの放送エージェントは規定された許可レベルを有する。管理オペレータはまた、請求書送付および管理の目的で、各放送エージェントおよび放送エージェント管理者のアカウントを設けて維持するためにシステムを使用する。
【０１３１】
システムは再検討ログファイルおよび放送リクエストを分解することを可能にするように構成されている。システムは管理オペレータがログファイルを読取り、管理データベースを読取りおよびそれに書込むことを可能にする。管理オペレータ管理サブシステムは管理オペレータにウェブ制御パネルまたは、ユーザのアカウントデータとシステムを管理するためのＧＵＩ環境を提供するように構成されている。さらに、システムは運営、管理、報告、請求書送付のための統計を生成するように構成されている。
【０１３２】
位置放送報告者は、放送メッセージングデータを記憶し、１以上の領域の過去、係属中および将来の放送メッセージに関連する報告を処理し、生成するように構成されている。位置放送報告は災害管理事務所、制御室、またはＰＬＢＳ−ＳＢに位置されることができる。このような報告およびデータに対するアクセスは、ＰＬＢＳオペレータまたは管理或いは政府のエンティティの許可された人物に対して利用可能にされる。このような報告は、迅速な行動が取られるか、又は付加的或いは関連する行動が開始されることができるように、ウェブベースのインターフェースを介して実時間で行われることができる。
【０１３３】
許可制御サブシステムが何等かの理由のために、提案された放送リクエストを受取らないとき、状態メッセージが放送エージェントアクセス装置へ送信されることができ、報告要求フラグが設定されることができる。このような場合には、報告は、適切な手順を決定するためにアカウントデータからプロフィールを得る。
【０１３４】
さらに、注意またはダイアログボックスが、放送エージェントへ状態を報告するために放送エージェントアクセス装置おいて開かれることができる。放送エージェントが放送エージェントアクセス装置をログオフするならば、ｅメール報告のような注意通知は、予め規定されたアドレスおよび構成にしたがって、放送エージェント管理者および放送エージェントへ送信される。その報告のコピーもまた、行動の記録を提供するために放送リクエストへ添付される。
【０１３５】
報告はまた、アカウントにおける任意の活動について、管理オペレータおよび放送エージェントの管理者へ報告を行う。これはアカウントが満期する任意の警告の報告を含んでいる。報告はまた、アカウントデータ中で規定されているパラメータにしたがって、規則的なベースでアカウント情報を放送エージェント管理者へ送信する。報告は、放送管理オペレータによりアクセスされることのできるログファイル中に記憶される。
【０１３６】
放送エージェントポータルまたはウェブページにアクセスしている放送エージェント端末は、警察の制御室のような災害管理事務所に位置されることができる。許可された放送エージェントは、ウェブまたはインターネットブラウザを使用して、ウェブアクセス、公共サービスメッセージ位置放送システム指令装置、または公共サービス位置放送制御装置（ＰＬＢＣ）により、メッセージを作成し、提案する。
【０１３７】
放送エージェントは、ウェブページによって（ウェブポータルを介して）ＰＬＢＳ−ＳＢと対話し、特別なクライアントソフトウェアのロードは必要ない。ほとんどのコンピュータは、何等の変更も全くせずに、ＰＬＢＳ−ＳＢを使用することができる。
【０１３８】
放送エージェントは、インターネットおよび／またはワールドワイドウェブを含んでいる通信ネットワークを介して、公共サービス位置放送システム（ＰＬＢＳ）にアクセスする。放送エージェント装置は任意の通信装置であってもよく、インターネットにアクセスし、および／またはウェブページをホストするように構成された装置であることが好ましい。これはパーソナルコンピュータ、ラップトップコンピュータ、移動体電話機、パーソナル管理装置、および種々のその変形を含んでいる。
【０１３９】
放送エージェント装置はウェブページにアクセスし、または公共サービスメッセージ位置放送システムによって、直接的または間接的にポータルホストされる。任意の現在または将来のウェブ、インターネット、又は類似のものおよび将来のサービスブラウザまたはアクセス方法は、放送エージェントにより使用されることができる。１実施形態であるハイパーテキストマークアップ言語、ＨＴＭＬのような標準的な言語が任意の既存の、または将来のハードウェアおよび／またはソフトウェアプラットフォームを使用して利用されることができる。標準的な、所有権を主張できる、および／または市場で入手可能な通信システムおよびプロトコルは種々の通信設備および相互接続を行うために使用されることができる。
【０１４０】
セキュリティの付加が望ましいとき、公共キーの暗号化を有するＳＳＬ等のような、市場で入手可能または所有権を主張できる効率的なセキュリティプロトコルおよび手段が、私設ネットワーク化設備、仮想私設網（ＶＰＮ）設備および／または秘密保護トンネル化特性と共に使用されることができる。
【０１４１】
放送エージェントのウェブポータルは、ＬＡＮまたはインターネットを通して利用可能であり、それによって家庭、遠隔オフィス、またはポータブルコンピュータ、装置またはプラットフォームに位置されるものを含めて、ワークステーションがどこに位置されても、そのワークステーションを介して公共サービスメッセージ位置放送システム（ＰＬＢＳ）にアクセスするフレキシブル性をそれぞれの、また全ての放送エージェントに提供することができる。システムは802.11技術のような無線ＬＡＮおよび移動体インターネットシステムとネットワークを利用することができる。
【０１４２】
放送エージェントウェブポータルはウェブページとして与えられる。放送エージェントウェブページは、制御室またはパネルの外観を有する設計構造またはパターンで設計されることができる。さらに、放送エージェントウェブページは地理情報システム（ＧＩＳ）サービスポータルまたはウェブページと一致していてもよい。
【０１４３】
放送エージェントウェブポータルまたはウェブページは、容易に迅速に地図を観察するために随意的にスクロールバーおよびズーム手段を有する１以上の地図を含むか、その地図から構成されることができる。１以上のツールバーによって放送エージェントに、地図フォーマット中の放送ターゲット領域を選択して規定する能力が提供される。現在、ウェブブラウザは地理情報システム（ＧＩＳ）データを処理しないが、地図はブラウザを補助するためにＰＬＢＳ−ＳＢによって行われている位置の変換を有するｊｐｅｇフォーマット画像またはファイルであってもよい。しかしながら、将来、放送エージェントウェブポータルまたはウェブページは直接ＧＩＳ地図データ、表示、定義入力をサポートすることが期待される。
【０１４４】
放送エージェントウェブページのホームページは、特定の地理的領域および／または特定のブロードエージェントに関連する地図の実演ゾーンおよび都市または位置名を提示することができる。別の実施形態では、ホームページは全てのユーザに利用可能な通常のデータを表示することもできる。
【０１４５】
放送エージェントがログインするとき、その放送エージェントの管轄の地図が表示される。その地図は、偶然にメッセージを関連のないまたは無許可の領域に送信しないように、管理オペレータおよび／またはブロードエージェント管理者によって設定される。
【０１４６】
放送エージェントウェブポータルまたはウェブページは、ウェブポータルにアクセスする放送エージェントから、６回以内のエンターまたは“クリック”で、放送リクエストまたはメッセージの送信またはリクエストを可能にするように設計されている。同様に、システムはこのような行動が適時の方法であり、１５秒間で実現できるように設計されている。
【０１４７】
放送エージェントウェブページを利用する放送エージェントは、メッセージが放送される領域、例えば放送ターゲット領域または放送ターゲット領域／フットプリントを規定するために、マウスまたはタッチパッドのようなポインティング装置を使用する。好ましくは、放送ターゲット領域は、表示された地図上でマウスをクリックするようなグラフィック選択手段を使用して放送エージェントにより規定される。
【０１４８】
放送エージェントが放送ターゲット領域を規定した後、その放送エージェントはメニューバー上のメッセージメニューボタンを始動し、テキストメッセージをキーボードにタイプすること等によって、メッセージを入力する。
【０１４９】
これが終了した後、放送エージェントは１以上の認証手順によって放送リクエストを認証する。これらは、ユーザＩＤおよびパスワードの入力、音声認証メッセージの発話、又はその他を含むことができる。放送リクエストが認証された後、放送リクエストは公共サービス位置放送システム（ＰＬＢＳ）サービス局へ転送される。
【０１５０】
随意選択的なシステム特徴はまた、放送エージェントウェブポータルまたはウェブページを介して、放送エージェントに利用可能にされてもよい。これらは新型のボタンまたはツールバー上の付加的なオプションとして構成されることができる。これらの随意選択的な特徴には以下のものが含まれている。
【０１５１】
−放送ターゲット領域／フットプリントライブラリ  
−メッセージライブラリ  
−多言語メッセージ  
−長いメッセージ  
−スタート時間、停止時間  
−チャンネルコード  
−リコールメッセージ  
−選択ネットワーク  
−進行ウィンドウ
放送エージェントウェブポータルおよびウェブページは１以上の進行ウィンドウを提供してもよい。
【０１５２】
放送エージェントがＧＯボタンを押し、自分のユーザＩＤとパスワードをタイプすることによってメッセージの責任を受取るとき、メッセージは直ちには送信されない。その代わりにこれは放送エージェントをこのメッセージの権限について点検するＰＬＢＳ−ＳＢの管理サブシステムに送信される。例えば、メッセージはその放送エージェントの管轄内での送信に対して規定されている。一人の人または１つのセンターが１期間に送信できるメッセージ数についての制限が存在する可能性がある。これはローカルキャリア、政府エンティティ、またはＰＬＢＳ−ＳＢオペレータにより規定されることができる。
【０１５３】
サービスについての請求書の送付は、メッセージに対して規定された領域、またはそのメッセージについて仮定されている人口密度に基づいて行われることができる。それぞれの場合において、放送エージェントは、進行を決定する前に、メッセージにかかる費用を知ることを希望する可能性がある。
【０１５４】
放送エージェントリクエストおよびメッセージは放送エージェント、政府当局、ローカルキャリアとの全ての同意にしたがっていることを確認するために、管理サブシステムによって徹底的にチェックされる。十分に従っている場合のみ、メッセージは進行する。そうであるならば、ダイアローグボックスは各ローカルキャリアがメッセージを受け取ったときに確認する。
【０１５５】
従っていないならば、放送エージェントは、メッセージが拒否された理由と、メッセージを迅速に送信させるために次にすることについての示唆を説明するダイアローグボックスを得る。例えばより小さく、重要度の少ない放送ターゲット領域／フットプリントが試行されるか、恐らく高いランクの放送エージェントからの権限が試行される可能性がある。
【０１５６】
その代わりに、ウェブベースのインターフェースが特定のアプリケーションまたは状態を処理できないとき、新型の放送制御装置（ＰＬＢＣ）がこの機能を提供してもよい。この第３のパーティのアプリケーションは、さらに、恐らくは放送領域を規定するための内密情報を求めることができる。このようにして、内密情報はその建物を離れることはない。
【０１５７】
ローカルキャリアのオフィスには、そのキャリアのネットワークにおけるローカルに与えられたセルＩＤデータを有するＰＬＢＳ−ＳＢから受信されたセルの緯度および経度データを照合するキャリア放送センタ（ＣＢＣ）サーバが存在している。セルがサービスする領域地図または表はローカルキャリアプラニングツール、システム、およびデータから得られる。典型的に、キャリアのエンジニアリンググループは、計画、メンテナンス、および管理の目的で類似の情報を準備する。
【０１５８】
位置放送メッセージは、位置放送チャンネルによって、セルベースで、セルラネットワークオペレータにより放送される。位置放送メッセージを送信するために、信号はキャリア放送センタへ送信される。ここから基地局制御装置（ＢＳＣ）まで、送信されるメッセージを含み、および重要なものとしては、セルのグローバルセルＩＤを含んで、メッセージが放送される頻度および時期のような幾つかの他のデータと共に、放送が行われる。
【０１５９】
情報は競争相手に対して有効である可能性があるので、セルラオペレータはそれらのセル（セルデータ）についての情報を、非常に注意して保護する。彼らは、この多数の秘密保護されていないサーバについての情報をもつ見通しが受入れ可能では無いことを発見するであろう。
【０１６０】
ＰＬＢＳの１実施形態によれば、各キャリアは、セル位置とセルがサービスする領域を含むそれら自身の所有ネットワークを維持し、それに対するアクセスを制御する。各キャリアは、公共サービス放送のためのターゲット領域を規定する地理的データを受信し、ターゲット領域に関する送信および送信位置を決定する。それが設定されると、各キャリアはそのターゲット領域に全体的または部分的に関連する位置または領域のみにメッセージの放送を開始する。このようにして、競合するキャリアは他のキャリアのネットワークまたは所有ネットワークあるいはカスタマデータへアクセスすることはない。
【０１６１】
ＰＬＢＳ−ＳＢとＣＢＣとの間の送信は、ＴＣＰ／ＩＰ秘密保護トンネルプロトコル、セキュリティ、認証を含むことができる利用可能な通信設備およびプロトコルにより実現される。送信はワイヤライン、衛星設備を含む無線によるものでもよい。
【０１６２】
１実施形態では、ＢＬＢＳシステムは、キャリアのセルデータが位置キャリアのオフィスのキャリア放送センタの検索表中のキャリアによって維持されていることを確認する。これはセルのセル識別コード、それらのそれぞれの無線基地局サイトの緯度および経度位置、およびそれらのセクタの方位データを含んでいる。これはセル当りの分解能になるが、第１の応用では、これは、典型的に１乃至３Ｋｍの幅（約２マイル）である現代の小さいサイズのセルを考慮するのに十分良好であろう。セルデータはネットワークのオフィスを離れることはない。移動体サービスプロバイダのようなローカルキャリアは、セル放送メッセージング技術のホスト、ローカルセルネットワークへのアクセス、その加入者へのセル放送メッセージの送信を行う。さらに、キャリアまたは移動体装置のサービスプロバイダは、オペレータＧＵＩインターフェースを動作可能にするために、内部またはＰＬＢＳオペレータへ、セルサイト地理的カバー範囲のデータを提供することができる。
【０１６３】
位置放送メッセージは、特定の地理的領域中の多数のオペレータまたはキャリアが適時の方法で同一の情報を要求するとき、幾つかの方法で使用されることができる。このような情報は緊急状態に関するテキストメッセージを含んでいてもよく、３Ｇセルおよび電話機では、指名手配中または行方不明者の写真、グラフィックデータ、避けるべき領域を含む問題領域と避難ルートを含んでいる。
【０１６４】
位置放送はセルラネットワークの関数であり、ＧＳＭ  ＭｏＵ、（ＧＳＭ０３．４１）、ＵＭＴＳ、３ＧＰＰ／３ＧＰＰ２、ＩＳ９５  ＣＤＭＡのような、公的な標準化組織により規定されている。多くのネットワークは、適切な応用がない場合に、それらのネットワークで規定されている現在未使用の位置放送チャンネルを有する。
【０１６５】
典型的に、同一領域でサービスを提供するキャリアまたはオペレータは２以上存在する。競合するオペレータ間でのセルプラニングの調整は存在せず、このようにして、セルレイアウトとセルＩＤはそれぞれ異なっている。さらに、通信およびセルカバー範囲と容量における絶え間ない改良によって、ネットワーク設計、地理的ネットワークシステムの寸法およびレイアウト、および特定の領域をカバーするセルは、ダイナミックであり、例えば、ネットワークの再構成、セルの分割、スイッチカットオーバーが可能である。
【０１６６】
また、多くのネットワークは、アンブレラセル、マクロセル、オーバーレイドセル、マイクロセル、ピコセルのような異なるサイズのネットワークまたはセルのオーバーラップパターンを有する階層ネットワークまたはセル構造システムを有している。これらはまた異なる周波数帯域（それぞれが異なるセルＩＤと異なる基地局間隔を有する８５０乃至１９００または９００乃至１８００乃至２Ｇｈｚ）でサブバンド構造の多数の層を有している。
【０１６７】
マルチネットワーク構造は第３世代（３Ｇ）のパケット無線サービス（ＧＰＲＳ）、ＥＤＧＥ、ＣＤＭＡ２０００、ＵＭＴＳの導入により、複雑さを増し続けている。３Ｇ位置放送メッセージはより一層可能であり、それによって異なるセルＩＤテーブルがマルチメディアバージョンではなく放送の普通のテキストバージョンで入力される。
【０１６８】
約１ＫＢの単一の信号は各送信領域またはセルに対してキャリアによって使用されることができる。トランシーバはその後、必要な時間だけメッセージの反復を実行する。
【０１６９】
ユーザの受信装置は、移動体またはセルラ電話機、ＰＤＡ、ＰＣ等を含むことができる。それらの受信装置は、メッセージがローカルユーザによって承認されるまで継続する異なる警報呼出し音を提供することができる。このような特徴および機能は、種々の受信装置の特徴および機能にしたがっている。幾つかの受信装置は、テキストメッセージ、グラフィックデータ、画像、地図を受信するように構成されることができ、或いは付加的な情報を提供する指定されたウェブサイトに接続することができる。
【０１７０】
現在のシステムの１以上の実施形態によれば、特別なハンドセットまたは移動体装置は要求されない。汎欧州デジタル移動電話方式（ＧＳＭ）のハンドセットは、サポートするＧＳＭ移動体サービスプロバイダによって与えられるような、公共サービスメッセージ位置放送システムを表示することができる。さらに、第３世代の移動体装置のサービスプロバイダと移動体装置またはセルラ装置は公共サービスメッセージ位置放送システムと一致した位置放送メッセージを表示する。
【０１７１】
公共サービスメッセージ位置放送サービスはまた、公共サービスメッセージ位置放送システムプロバイダの記章またはサービスマークを表示してもよい。
【０１７２】
公共サービスメッセージ位置放送システムは、移動体装置のサービスプロバイダの音声およびＳＭＳチャンネルとは独立しているので、セル放送は緊急時中は動作を継続し、それによって高い呼音量を発生し、音声およびＳＭＳサービスの中断にかかわらず、緊急事態において有効な通信リンクを有するローカルな権限を可能にする。
【０１７３】
動作において、公共サービスメッセージ位置放送システムが、ここで説明した方法により、１実施形態で与えられることができる。公共サービスメッセージ放送が必要とされる事態では、許可された放送エージェントは、パスワードを入力し、インターネットに取り付けられた装置から、放送エージェントウェブポータルをアクセスしている放送エージェントシステムを介して、公共サービスメッセージ位置放送システムにアクセスする。スクリーンは放送エージェントを認識し、その放送エージェントの管轄の地図またはイラストを表示する。
【０１７４】
放送エージェントは、全体が許可された放送管轄であるか、その一部である可能性のあるターゲット領域を規定または選択する。放送エージェントは、緊急状態の特徴および／または必要な行動を示すテキストメッセージを構成する。放送エージェントはメッセージが放送される時間および／またはターゲット領域の受信装置により受信される時間の長さを特定する。放送エージェントシステムを利用している放送エージェントは公共サービスメッセージ位置放送システムサーバへのデータを確かめ、送信する。
【０１７５】
公共サービスメッセージ位置放送システムの放送データ管理（ＢＤＭ）サーバはデータを再フォーマットし、それをターゲット領域内でサービスを行う各通信キャリアのキャリア放送センタへ転送する。
【０１７６】
キャリア放送センタ（ＣＢＣ）は、全てのまたは一部のターゲット領域にサービスする１以上の（送信塔のような）サブネットワークおよび／またはセルセクタを選択し、それによってターゲット領域全体が放送によりカバーされる。ＣＢＣはメッセージをそのサービスする領域内の全ての受信装置へ放送する。ＣＢＣ放送送信プロセスは、ターゲット領域内で付加的な装置を入れ、利用可能になり、付勢／パワーオンに適合するために、警報の期間中、反復される。放送サブネットワークまたはセル内に位置された受信装置は、公共サービス放送メッセージを受信し、メッセージの警報および表示を行うことができる。
【０１７７】
実際に、１以上の実施形態の動作を以下の例により説明することができる。
【０１７８】
夜遅くおよび河川レベルが、危険レベルに上昇している。地域警察は全住民にその領域に住む人々が洪水の危険性にあることを警告しようと考える。しかしながら、夜間であるので、住民はテレビジョンを見ておらず、ラジオを聞いていない。放送エージェントの地域にある上級警察官または災害管理者は、中央サイトに位置されている公共サービスメッセージ位置放送システムのウェブサイトへアクセスする。警察官は危険にある領域の地図を選択する。警察官は危険を通知されるべき地理的な放送ターゲット領域を規定または選択する。警察官は領域中の危険状態の特徴と、指示される行動を示すメッセージ、例えば“洪水警報”を入力する。警察官は、以下のセキュリティ手順により放送メッセージングを開始し、Ｇｏボタンを押す。
【０１７９】
ＰＬＢＳ−ＳＢはメッセージを受信し、特定の通知または放送ターゲット領域についてのメッセージを提案している放送エージェントとして警察官の妥当性のチェックを行う。確認されると、ＰＬＢＳ−ＳＢは、各通信サービスプロバイダまたは、ネットワークを有するキャリア、カバー範囲、予め規定されたカバー範囲の領域内の受信装置ネットワークへメッセージを送信する。
【０１８０】
各ローカル通信サービスプロバイダは、放送システムから、メッセージと放送ターゲット領域規定を受信して、定義された通知領域をサービスしている特定の送信ネットワークへ放送メッセージの送信を開始する。通信サービスプロバイダのローカルネットワークはメッセージを、規定された通知領域内でアクチブな各アクチブコンパチブルな受信装置へ放送する。各受信装置は放送メッセージを受信し、そのメッセージを表示し、共通または特有の警報信号を提供することができる。
【０１８１】
本発明またはその実施形態の特徴を紹介するとき、冠詞“ａ”、“ａｎ”、“その（ｔｈｅ）”、“前記（ｓａｉｄ）”は１以上のエレメントが存在することを意味することを意図している。用語“具備する”、“含む”、“有する”は含めることを意図され、列挙されたエレメント以外に付加的なエレメントが存在する可能性のあることを意味している。
【０１８２】
先の説明を考慮して、本発明の幾つかの特徴が実現され、他の有効な結果が得られることが認められる。種々の変更が特許請求の範囲に記載された技術的範囲を逸脱せずに、先の例示的な構造および方法で行われることができるので、前述の説明に含まれ、または添付図面に示されている全てのものは限定の意味ではなく例示として解釈されるべきである。
【０１８３】
さらに、ここで説明したステップは説明または例示した特定の順序によるそれらの動作を必ずしも必要としないことを理解すべきである。また、付加的または代わりのステップが使用されることができることも理解されるであろう。
【０１８４】
付録１；コードチャンネル割当て  
【表１】
2007524308.tif 000003
【表２】
2007524308.tif 000004
【０１８５】
他のチャンネルも、政府当局および他の問題のパーティを伴って、ネットワーク次第である。
【図面の簡単な説明】
【０１８６】
【図１】１実施形態による公共サービスメッセージ位置放送システムの機能ブロック図。
【図２】１実施形態による第２の公共サービスメッセージ位置放送システムの機能ブロック図。
【図３】１実施形態による公共サービスメッセージ位置放送システムサービス局内の入場制御プロセスのフローチャート。
【図４】放送エージェントポータルウェブページのスクリーンの１ショット。
【図５】ターゲット放送領域の放送エージェントの初期指示を示している放送エージェントポータルウェブページのスクリーンの１ショット。
【図６】ターゲット放送領域の指示を精巧にするための形状ツールの使用を示している放送エージェントポータルウェブページのスクリーンの１ショット。
【図７】フットプリントのライブラリまたは予め規定されたターゲット放送領域を示している放送エージェントポータルウェブページのスクリーンの１ショット。
【図８】放送エージェントが放送リクエストのメッセージおよびパラメータを作成することを可能にするダイアローグボックスを示している放送エージェントポータルウェブページのスクリーンの１ショット。
【図９】ターゲット放送領域のライブラリおよびメッセージのライブラリを示している放送エージェントポータルウェブページのスクリーンの１ショット。
【図１０】放送エージェントの確認エントリプロンプト／ウィンドウを示している放送エージェントポータルウェブページのスクリーンの１ショット。
【図１】
2007524308.tif 000005
【図２】
2007524308.tif 000006
【図３】
2007524308.tif 000007
【図４】
2007524308.tif 000008
【図５】
2007524308.tif 000009
【図６】
2007524308.tif 000010
【図７】
2007524308.tif 000011
【図８】
2007524308.tif 000012
【図９】
2007524308.tif 000013
【図１０】
2007524308.tif 000014
【国際調査報告】
2007524308.tif 000015